(57)【特許請求の範囲】
【請求項１】
管状光源と、
この管状光源を第一焦点として少なくとも前記光源の有効長と同一の幅を有する楕円柱状面とし、前記管状光源の中心で第二焦点の位置が上下方向に分割して生じるように形成された反射面と、
前記光源の前方には透明部材により、この光源からの直射光に対する光取入口が設けられた略二股状に形成され前記光源からの光を上下方向に分割し、前記略二股状の内面側が、前記光源を第一焦点とし、第二焦点を前記反射面の第二焦点の近傍とする楕円柱状面とし、外面側が平面の鏡面とされた導光部材と、
前記反射面と前記導光部材とによる２箇所の焦点にそれぞれ対応して設けられた一対のシリンドリカルレンズ状とした投光レンズとから成ることを特徴とするストロボ装置。
【請求項２】
前記反射面、および、前記導光部材の内面のそれぞれの第二焦点は、それぞれの前記投光レンズの焦点の近傍に設けられていることを特徴とする請求項１記載のストロボ装置。
【請求項３】
前記導光部材の内面の第二焦点は、この導光部材の内面で反射した光を、更に外面に施された前記鏡面に反射させることで、前記反射面からの第二焦点、及び、投光レンズに対する位置の設定が行われていることを特徴とするする請求項１又は請求項２記載のストロボ装置。
【発明の詳細な説明】
【技術分野】
【０００１】
本発明は、夜間など、自然光が不足な状態で写真撮影を行うときに、自然光の補助としてシャッターの作動に連動して発光させられるストロボ装置に係るものであり、詳細にはカメラに一体化して組み込めるように、特に発光部である投光レンズの小形化が要求されるストロボ装置に関するものである。
【背景技術】
【０００２】
従来の発光部の小形化を図ったストロボ装置９０としては、図４に示すようなものが開示されており、直接に光を外部に放射する発光部を小形化するために、例えば、カメラ本体８０の右上部に設けられているストロボ装置９０の投光レンズ９１の表面に、ストロボ装置９０から光を採取するための複数の光ファイバー９２の一端を取付ける。
【０００３】
そして、前記光ファイバー９２の他端を、カメラ本体８０の撮影レンズ８１の外径に固定し、撮影レンズ８１の周縁から光が放射されるようにしておく。このようにすることで、撮影レンズ８１としての太さには実質的に影響を与えることなく、例えば、撮影レンズ８１を挿入して口腔中の写真の撮影を可能とするものである。
【特許文献１】特開２００５−０４６３８８号公報
【発明の開示】
【発明が解決しようとする課題】
【０００４】
しかしながら、上記した従来のストロボ装置９０の発光部の小形化手段は、確かに、口腔中など狭い場所の撮影を可能とするという利点は認められるものの、第一には、光ファイバー９２により集めることのできる光量はストロボ装置９０が発生する光量に対して、ごく一部に過ぎず、一般の使用時において、少ない外光を補うという本来の目的が達成できず、カメラ本体８０の汎用性が失われるという問題点を生じる。
【０００５】
また、第二には、例え光量の問題は解決したとしても、光ファイバー９２、即ち導光部材がカメラ本体８０の筐体よりも外側に引き回されている形状は、使用中の外部機材との接触などによる破損を生じ易いものとなり、また、外観上にも違和感を与えるものとなり、破損しやすく、且つ、外観を損なうものとなる問題点を併せて生じるものとなる。
【課題を解決するための手段】
【０００６】
本発明は、上記した従来の課題を解決するための具体的手段として、管状光源と、この管状光源を第一焦点として少なくとも前記光源の有効長と同一の幅を有する楕円柱状面とし、前記管状光源の中心で第二焦点の位置が上下方向に分割して生じるように形成された反射面と、前記光源の前方には透明部材により、この光源からの直射光に対する光取入口が設けられた略二股状に形成され前記光源からの光を上下方向に分割し、前記略二股状の内面側が、前記光源を第一焦点とし、第二焦点を前記反射面の第二焦点の近傍とする楕円柱状面とし、外面側が平面の鏡面とされた導光部材と、前記反射面と前記導光部材とによる２箇所の焦点にそれぞれ対応して設けられた一対のシリンドリカルレンズ状とした投光レンズとから成るストロボ装置を提供することで課題を解決するものである。
【発明の効果】
【０００７】
本発明により、第一焦点から発せられる光を第二焦点に集束する楕円柱状面を反射面に採用すると共に、前記反射面に当たらない光を、同様に楕円柱状面を採用した導光部材で捕捉し、且つ、両者の第二焦点をほぼ同じ位置に発生させ、この第二焦点を焦点とする投光レンズで外部に放射するものとしたことで、光源から発せられる光量に対する光束捕捉率を向上させ、明るいストロボ装置の実現を可能とするものである。
【発明を実施するための最良の形態】
【０００８】
つぎに、本発明を図に示す実施形態に基づいて詳細に説明する。図１に示すものは、本発明に係るストロボ装置１の断面図であり、このストロボ装置１は光源であるキセノン放電管２と、前記キセノン放電管２からの発光を照射方向に向かわせるべく反射する反射面３と、例えば、アクリル樹脂、ポリカーボネート樹脂など、透明な樹脂で形成された導光部材５と、前記導光部材５と同様に透明部材で形成された投光レンズ４とを主なる部品として形成されている。
【０００９】
ここで、本発明のストロボ装置１においては、前記キセノン放電管２の長手方向に沿う中心線を通る水平線Ｈに対して、ほぼ全ての部分が上下が線対称に形成されるものであり、このとき、前記キセノン放電管２は、本発明においても、従来から、この種のストロボ装置１に採用されているものと、特に変わるものではなく、所定の長さを有する管状光源である。
【００１０】
先ず、前記反射面３について説明を行えば、この反射面３は前記水平線Ｈを境として、上部反射面３ａと下部反射面３ｂとが形成されているものであり、そして，本発明では、上部反射面３ａも下部反射面３ｂも、前記キセノン放電管２の中心を第一焦点とする楕円柱面として形成されている。
【００１１】
そして、前記上部反射面３ａの第二焦点ｆ２は、前記したように水平線Ｈに対して線対称に２箇所に形成された前記投光レンズ４の内の上投光レンズ４ａの焦点、若しくはその近傍の位置に設けられている。同様に下部反射面３ｂの第二焦点（図示せず）は、下投光レンズ４ｂの焦点、若しくはその近傍の位置に設けられている。
【００１２】
ここで、再度、前記キセノン放電管２について述べれば、このキセノン放電管２は管状バルブにより形成されているものであるので、図１においては、前記水平線Ｈに対し紙面方向で直交する線状であり、その線状の光を第一焦点とする前記反射面３（ａ、ｂ）が集束する第二焦点ｆ２も同様に線状である。
【００１３】
よって、前記第二焦点を照射方向に投射する上下の投光レンズ４（ａ、ｂ）も同様に線状、即ち、シリンドリカルレンズ状として形成されている。尚、左右の両端を円弧状とする。あるいは左右方向への拡散を行うように投光レンズ４（ａ、ｂ）の裏面にプリズムカットを施すなどは、デザイン的な見地、あるいは所望の照射角を得るなど必要に応じて、行えば良いものである。
【００１４】
ついで、導光部材５について説明を行う。この導光部材５には、一箇所の光取入口５ａと、二箇所の光取出口５ｂとが設けられていて、前記光取入口５ａは、前記キセノン放電管２の中心と同芯の曲面として形成され、これにより、前記キセノン放電管２から発光されて前記光取入口５ａに達した光は、略直角に導光部材５内に入射するものとなり、効率良く導光部材５内に取込まれるものとなる。
【００１５】
そして、前記導光部材５は、光取入口５ａの後方で二方向に分岐され、前記光取入口５ａから入射した光を前記反射面３と同様に上下方向に二分する。このときに、前記導光部材５の二股状に分岐された内面５ｃの双方は、前記キセノン放電管２を第一焦点とする楕円柱面状に形成され、後に説明する所定の位置に第二焦点ｆｇを有するものとされている。
【００１６】
また、前記導光部材５の外面５ｄは、平面として形成され、例えば、屈折率差による全反射面、あるいは、アルミニウムなどの蒸着が行われた反射面とし、鏡面６とされている。このときに、前記した導光部材５の内面５ｃに形成された楕円柱面の第二焦点は、図２中に第二焦点ｆｇで示すように、前記鏡面６を超えた位置に形成されている。
【００１７】
このようにしたことで、前記内面５ｃで反射した光は、第二焦点ｆｇに収束される途上の状態で鏡面６に達し、光取出口５ｂの方向に向かい、外部に放射された後に収束して前記投影レンズ４の焦点ｆと略等しい位置に第二焦点ｆｇ’を結ぶものとなる。
【００１８】
本発明では、前記反射面３（上部反射面３ａと下部反射面３ｂ）の第二焦点ｆ２に対応しては、この第二焦点の近傍に焦点を有する投光レンズ４（４ａ、４ｂ）が設けられているものであり、前記導光部材５の二つの光取出口５ｂ、５ｂも、同様に前記投光レンズ４（４ａ、４ｂ）の焦点の近傍に位置が設定されている。
【００１９】
従って、前記投光レンズ４（４ａ、４ｂ）の近傍には、前記反射面３（３ａ、３ｂ）により形成される第二焦点ｆ２と、前記導光部材５により形成される第二焦点ｆｇ’とが、各２本宛、存在するものとなる。このことは、図１からも理解できるように、前記キセノン放電管２から放射される光のほぼ全てを第二焦点として集束した状態で、前記投光レンズ４（４ａ、４ｂ）に入射させるものであるので、キセノン放電管２に対する光束利用率を、従来例のものに比較して格段に向上させることが可能となる。
【００２０】
尚、図中に符号７で示すものは遮蔽板であり、一対の前記投光レンズ４を一体化して形成したときなどには、上投光レンズ４ａと下投光レンズ４ｂとの間のレンズ接続面４ｃも透明部材で形成されるものとなり、例えば非点灯時には、このレンズ接続面４ｃ部分を透視して内部構造が見えたり、あるいは、点灯時に、このレンズ接続面４ｃから内部で生じた迷光が放射されて、配光、デザインを乱すなどを防止する目的で、不透明な板状などとして取付けられるものである。
【００２１】
図２及び図３は、本発明に係るストロボ装置１の第二実施例であり、主として、前記レンズ接続面４ｃを改良することで、カメラに組込んだときにも斬新なデザインが得られるようにするものであり、また、遮蔽板７も不要として、構成の簡素化も可能とするものである。
【００２２】
この目的を達するために、図２に示すように、投影レンズ４における、上投影レンズ４ａと下投影レンズ４ｂ間のレンズ接続面４ｃは平坦面としておき、前記投影レンズ４自体、言い換えればストロボ装置１全体をカメラ本体２０の内部に取付け、前記上投影レンズ４ａと下投影レンズ４ｂのみを、前記カメラ本体２０に設けたスリット状孔２０ａから外部に臨ませるものである。
【００２３】
このようにすることで、デジタル、アナログのコンパクトカメラのデザインの常套手段であった、ストロボ装置１がカメラ本体２０の向かって右上方に必ず設けられているデザインと、大きく見栄えが変わるカメラ本体２０の形状が得られるものとなる。また、必要最低限の部分のみを外部に露出すればよいものとなるので、装飾面でも簡素化が可能となり、コストダウンが図れるものとなる。
【図面の簡単な説明】
【００２４】
【図１】本発明に係るストロボ装置の第一実施例を示す断面図である。
【図２】同じく本発明に係るストロボ装置の第二実施例を示す断面図である。
【図３】第二実施例のストロボ装置をカメラに取付けら状態で示す正面図である。
【図４】従来例を示す斜視図である。
【符号の説明】
【００２５】
１…ストロボ装置
２…キセノン放電管
３…反射面
３ａ…上部反射面
３ｂ…下部反射面
４…投光レンズ
４ａ…上投光レンズ
４ｂ…下投光レンズ
４ｃ…レンズ接続面
５…導光部材
５ａ…光取入口
５ｂ…光取出口
５ｃ…内面
５ｄ…外面
６…鏡面
７…遮蔽板
２０…カメラ本体
２０ａ…スリット状孔
【図１】
0005059586.tif 000002
【図２】
0005059586.tif 000003
【図３】
0005059586.tif 000004
【図４】
0005059586.tif 000005